(57)【要約】      （修正有）【課題】パチンコ、パチスロでいつ、どこで、どの台で、またどのような条件の中、いくら使って、いくら儲けたか等を記入する手帳を提供する。【解決手段】年間を通した収支を記入する単一ページから成る年間総合収支ページ、月単位の収支を記入する複数のページから成る月間収支ページ、日毎、あるいは特定日における収支の詳細を記入する複数のページから成る詳細ページの、３つのレイアウトをもったページから成り、年間総合収支ページは、月、収支記入列を同じ行に、合計収支金額記入欄を最下行に設けた構成、月間収支ページは、日付、店名、機種、当日収支記入列を同じ行に、合計収支金額記入欄を最下行に設けた構成、詳細ページは、年月日、曜日、店名、機種、台番号、イベント、換金率、開始時間、終了時間、入賞回数、総プレイ数、確率、最大連荘回数、最大ハマリゲーム数、初当り投資金額、総投資金額、総獲得数、総換金額、総合収支、コメント記入欄、予想設定等の、記入欄を設けた構成である事を特徴とする。【選択図】図１
2006182002.tif 000002
【特許請求の範囲】
【請求項１】
年間を通した収支を記入する単一ページから成る年間総合収支ページ、月単位の収支を記入する複数のページから成る月間収支ページ、及び日毎、あるいは特定日における収支の詳細を記入する複数のページから成る詳細ページの、３つのレイアウトをもったページから成り、年間総合収支ページにおいて、当年を記入する年記入欄と、当月を記入する月記入列と、その月記入列に対して、その当月の収支金額を記入するための収支記入列を同じ行に設け、上から各項目列順次、月次分記入出来るようにして、最下行に合計収支金額を記入するための記入欄を設けた構成、月間収支ページにおいて、当月を記入する月記入欄と、左から日付を記入する日付記入列、店名を記入する店名記入列、機種名を記入する機種記入列、当日収支を記入する当日収支記入列を同じ行に設け、上から各項目列順次、日次分記入出来るようにして、最下行に合計収支金額を記入するための記入欄を設けた構成、詳細ページにおいて、当日の年月日、曜日、店名、機種、台番号、イベント（あり／なし）、換金率、開始時間、終了時間を記入するための記入欄と、大当たり回数はページ左列に上から総プレイ数、入賞項目を記入する記入欄、確率の項目の行を設け、順に左から前々日、前日、本日列となり、総プレイ数、入賞回数、確率をそれぞれ記入するための記入欄を設け、最大連荘回数、最大ハマリゲーム数、初当り投資金額、総投資金額、総獲得数、総換金額、総合収支を記入するための記入欄を設け、メモ用としてコメント記入欄と、予想設定を記入するための記入欄を設けた構成である事を特徴とする、パチンコ、パチスロ収支記入手帳。
【発明の詳細な説明】
【技術分野】
【０００１】本発明は、パチンコ、パチスロでいつ、どこで、どの台で、またどのような条件の中、いくら使って、いくら儲けたか等を記入する手帳に関するものである。
【背景技術】
【０００２】従来、パチンコ、パチスロをする人たちが収支に関する記録を付けているかどうか、またどのように記録しているかは千差万別だが、記録方法としては、一般手帳、メモ帳、パソコンでの記録に限られている。
【発明の開示】
【発明が解決しようとする課題】
【０００３】それには次のような問題点があった。
（イ）従来の手帳またはメモ帳では、記録を記載するための専用書式がないために、自分で項目を作る必要があった。
（ロ）書式の一貫性がなかったために、無駄なページが増え、使い勝手が悪かった。
本発明は、これらの問題点を解決するためになされたものである。
【課題を解決するための手段】
【０００４】年間を通した収支を記入する単一ページから成る年間総合収支ページ、月単位の収支を記入する複数のページから成る月間収支ページ、日毎、あるいは特定日における収支の詳細を記入する複数のページから成る詳細ページの、３つのレイアウトをもったページにより構成されている。
年間総合収支ページにおいて、当年を記入する年記入欄と、当月を記入する月記入列と、その月記入列に対して、その当月の収支金額を記入するための収支記入列を同じ行に設け、上から各項目列順次、月次分記入出来るようにして、最下行に合計収支金額を記入するための記入欄を設けた構成である。
月間収支ページにおいて、当月を記入する月記入欄と、左から日付を記入する日付記入列、店名を記入する店名記入列、機種名を記入する機種記入列、当日収支を記入する当日収支記入列を同じ行に設け、上から各項目列順次、日次分記入出来るようにして、最下行に合計収支金額を記入するための記入欄を設けた構成である。
詳細ページにおいて、当日の年月日、曜日、店名、機種、台番号、イベント（あり／なし）、換金率、開始時間、終了時間を記入するための記入欄と、大当たり回数はページ左列に上から総プレイ数、入賞項目を記入する記入欄、確率の項目の行を設け、順に左から前々日、前日、本日列となり、総プレイ数、入賞回数、確率をそれぞれ記入するための記入欄を設けている。以後、最大連荘回数、最大ハマリゲーム数、初当り投資金額、総投資金額、総獲得数、総換金額、総合収支を記入するための記入欄を設け、メモ用としてコメント記入欄と、予想設定を記入するための記入欄を設けた構成である。手帳のサイズは、普通のポケットに入る程度の大きさのものを使う。以上を特徴とするパチンコ、パチスロ収支記入手帳である。
【発明の効果】
【０００５】初めから記録を記載するための項目を伴ったページ、及びそのためのレイアウトが存在するため記入しやすい。年間収支、月間収支、詳細ページと３形式がひとつの手帳に集約されており、専用手帳として使える。
【発明を実施するための最良の形態】
【０００６】以下、本発明の実施の形態について説明する。
（イ）手帳（１）を開いて最初の片ページ〈１ページ〉に年間総合収支ページ（図１）、次のページから２４ページまで月間収支ページ（図２）、以後全ページ詳細ページ（図３）の構成である。
（ロ）年間総合収支ページ（図１）については、当年を記入する年記入欄（２）と、当月を記入する月記入列（３）と、その月記入列（３）に対して、その当月の収支金額を記入するための収支記入列（４）を同じ行に設け、上から順次、月次分記入出来るようにして、最下行に合計収支金額を記入するための年ＴＯＴＡＬ収支記入欄（５）を設ける。１年間〈１２ヵ月分〉通して収支を記入するため、月記入列（３）と収支記入列（４）は１２行とし、また年のいつから記入し始めてもいいように、最上段の見出し行以外は、あらかじめ月記入列（３）は空欄として設ける。このページの使い方は年記入欄（２）に当年、月記入列（３）に当月、収支記入列（４）に当月収支、年ＴＯＴＡＬ収支記入欄（５）に収支記入列（４）の合計収支を記入する。収支の記入法は、３形式（図１、２、３）とも収入と支出の両方をひとつの記入欄に記入するものとし、支出の時はマイナスを頭につけて記入する。
（ハ）月間収支ページ（図２）については、当月を記入する月記入欄（６）と、左から日付を記入する日付記入列（７）、店名を記入する店名記入列（８）、機種名を記入する機種記入列（９）、当日収支を記入する当日収支記入列（１０）を同じ行に設け、上から順次、日次分記入出来るようにして、最下行に合計収支金額を記入するための月ＴＯＴＡＬ収支記入欄（１１）を設ける。１ページ１５日分〈半月分〉の記入行を設け、２４ページで１年分である。これもまたいつからでも記入出来るように月記入欄（６）、日付記入列（７）は空欄として設ける。このページは単純にいつ、どこで、どの台で、いくらの収支があったのかの４項目だけを記入するページである。このページが一番のメインである。このページの使い方は、月記入欄（６）に当月、左から日付記入列（７）、店名記入列（８）、機種記入列（９）、当日収支記入列（１０）の順番に記入する。そして、月ＴＯＴＡＬ収支記入欄（１１）に当日収支記入列（１０）の合計収支を記入する。
（ニ）詳細ページ（図３）については、当日の年月日、曜日、店名、機種、台番号、イベント（あり／なし）、換金率、開始時間、終了時間を記入するための記入欄と、大当たり回数はページ左列に上から総プレイ数、入賞項目を記入する記入欄、確率の項目の行を設け、順に左から前々日、前日、本日列となり、総プレイ数、入賞回数、確率をそれぞれ記入するための記入欄を設けている。以後、上から最大連荘回数、最大ハマリゲーム数、初当り投資金額、総投資金額、総獲得数、総換金額、総合収支を記入するための記入欄を設け、メモ用としてコメントを記入する記入欄と、予想設定を記入するための記入欄を設ける。その日のデータを詳細にまとめたい時に使う。このページの使い方を上から順次に説明する。
（１２）日付曜日記入欄―何年何月何日何曜日記入。
（１３）店名記入欄―プレイした店の名前を記入。
（１４）機種記入欄―プレイした機種名を記入。
（１５）台番号記入欄―プレイした台番号を記入。
（１６）イベント（あり／なし）記入欄―広告又はホームページ等にて、イベント告知しているかどうか。あり、なしどちらかにマルを記入。イベントとは、例えば、毎週月曜日はスロットデー、某機種高設定多数導入、新台入替など、広告、ホームページ、メールにて予め告知している事を言う。
（１７）換金率記入欄―換金率を記入、呼び名は全国共通。
（１８）開始時間記入欄―プレイし始めた時間を記入。
（１９）終了時間記入欄―プレイし終えた時間を記入。
（２０）総プレイ数記入欄―開始から終了まで何ゲーム回したかを、左から前々日、前日、本日列にそれぞれ記入。
（２１）入賞項目記入欄―スロットならＢＩＧ，ＲＥＧ等を、パチンコなら確率変動、通常等上から任意に記入。ＢＩＧとは、ビッグボーナスゲームの事で、基本的にこれを揃えないことにはコインは増えない。機種によっては獲得数に違いがあるが、通常約３００〜７００枚獲得出来る。ＲＥＧとは、レギュラーボーナスゲームの事で、約１１０枚獲得出来る。確率変動とは、この絵柄で揃うと次回入賞確率が上がり、玉を減らさず次回入賞が約束される。通常とは、次回入賞確率はそのままで、次回入賞は自力で揃えなければならない。確率変動も通常も１回約２０００発獲得出来る。スロット、パチンコ双方入賞絵柄は機種によって違う。
（２２）入賞回数記入欄―入賞項目記入欄（２１）で記入した項目で、それぞれに該当する入賞回数を左から前々日、前日、本日列に記入。
（２３）入賞確率記入欄―総プレイ数記入欄（２０）に記入したゲーム数を、入賞回数記入欄（２２）に記入した回数で割った数字を、左から前々日、前日、本日列にそれぞれ記入。
（２４）最大連荘記入欄―その日に一番多くした連荘〈連チャン〉回数を記入。連荘〈連チャン〉とは、ＢＩＧやＲＥＧのボーナスゲームが連続して揃う事を言う。
（２５）最大ハマリ記入欄―その日のボーナスゲームとボーナスゲーム間の最大ハマリゲーム数を記入。ハマリとは、次にボーナスゲームを揃えるまでにプレーしたゲーム数の事を言う。
（２６）初当り投資金額記入欄―一番初めにボーナスゲームを引くまでに投資した金額を記入。
（２７）総投資金額記入欄―プレイし始めてから、し終えるまでに投資した金額を記入。
（２８）総獲得枚数、玉数記入欄―プレイし始めてから、し終えるまでに獲得した枚数又は玉数を記入。
（２９）総換金額記入欄―その日の総換金額を記入。
（３０）総合収支記入欄―総換金額から総投資金額を引いた金額を記入。
（３１）コメント記入欄―何を記入してもよい。
（３２）予想設定記入欄―スロットの場合、予想した設定数を記入。設定は１〜６段階で数字が上がるほどよい。
【図面の簡単な説明】
【０００７】
【図１】本発明の構成中、年間総合収支ページを示す斜視図
【図２】本発明の構成中、月間収支ページを示す平面図
【図３】本発明の構成中、詳細ページを示す平面図
【符号の説明】
【０００８】１    手帳
２    年記入欄
３    月記入列
４    収支記入列
５    年ＴＯＴＡＬ収支記入欄
６    月記入欄
７    日付記入列
８    店名記入列
９    機種記入列
１０  当日収支記入列
１１  月ＴＯＴＡＬ収支記入欄
１２  日付曜日記入欄
１３  店名記入欄
１４  機種記入欄
１５  台番号記入欄
１６  イベント（あり／なし）記入欄
１７  換金率記入欄
１８  開始時間記入欄
１９  終了時間記入欄
２０  総プレイ数記入欄
２１  入賞項目記入欄
２２  入賞回数記入欄
２３  入賞確率記入欄
２４  最大連荘記入欄
２５  最大ハマリ記入欄
２６  初当り投資金額記入欄
２７  総投資金額記入欄
２８  総獲得枚数、玉数記入欄
２９  総換金額記入欄
３０  総合収支記入欄
３１  コメント記入欄
３２  予想設定記入欄
【図１】
2006182002.tif 000003
【図２】
2006182002.tif 000004
【図３】
2006182002.tif 000005